Podtech/llm-jp-corpus-v4-ja_patent huggingface dataset:
(57)【要約】      （修正有）【課題】研削加工用ツインドレッサー装置等で特殊な送りネジ等を使用せずにギア等やラック等を組み合わせることで大幅なコストの削減、さらにはナット等の付属品も使用せずにすむため装置の省スペース化、小型化を図る。【解決手段】装置の中心部分に回転軸を付与させたギア等を配置し、ダイヤモンドツール等の固定台にラック等を対照に取り付ける。そしてそれぞれのラック等がギア等にかみ合うようにセットする。片方の固定台をマイクロメーター等の精密測定機器で押すまたは引くことで固定台を前進させる。その際に前進した固定台に取り付けてあるラック等がギア等を回転させ、対照側に配置したラック等を同時に駆動させるという構造である。固定台を後退させる機構はスプリング等を固定台と固定台との間に配置しておく。【選択図】図１
2011161621.tif 000002
【特許請求の範囲】
【請求項１】
本発明は片側からの送り込みによって双方向に反対面も同時に同量だけ前進する機構に関するものである。
【請求項２】
この機構はギア等とラック等の組み合わせによって双方向駆動させることを特徴とする。
【請求項３】
定量的に前進させる方法としてマイクロメーターやノギス等の精密測定機器等を利用することを特徴とする。
【請求項４】
ダイヤモンドツール等を後退させる方法としてスプリング等を利用することを特徴とする。
【請求項５】
ギア等とラック等の組み合わせのクリアランスを極力小さくすることでタイムラグの極めて少ないさらに高精度な双方向駆動が行えることを特徴とする。
【発明の詳細な説明】
【発明の詳細な説明】
【産業上の利用分野】
【０００１】金型や機械部品の研削加工における溝加工用砥石成形に関するものである。
【背景技術】
【０００２】従来は双方向駆動にはセンターを基準にして送りネジのリード方向が逆向きになる特殊台形ネジやボールネジが使用されていた。
【発明が解決しようとする課題】
【０００３】研削加工用ツインドレッサー装置等で特殊な送りネジ等を使用せずにギア等やラック等を組み合わせることで大幅なコストの削減、さらにはナット等の付属品も使用せずにすむため装置の省スペース化、小型化が図れないかと考えたものである。
【課題を解決するための手段】
【０００４】装置の中心部分に回転軸を付与させたギア等を配置し、ダイヤモンドツール等の固定台にラック等を取対照にり付ける。そしてそれぞれのラック等がギア等にかみ合うようにセットする。
片方の固定台をマイクロメーター等の精密測定機器で押すまたは引くことで固定台を前進させる。その際に前進した固定台に取り付けてあるラック等がギア等を回転させ、対照側に配置したラック等を同時に駆動させるという構造である。固定台を後退させる機構はスプリング等を固定台と固定台との間に配置しておく。
図１（双方向駆動の構造）
ギア等とラック等のクリアランスを極力小さくすることでタイムラグの極めて少ないさらに高精度な双方向駆動が行える。
図２（ギア等とラック等のクリアランス）
【実施例】
【０００５】研削加工にて高精度溝加工を行う場合、研削砥石の幅を所定の寸法に仕上げる砥石成形の工程（ドレッシング）が必要である。
図３（ドレッングの概要）
そのための機械、治具をドレッサー装置（単にドレッサーとも呼ぶ）という。
回転する研削砥石をダイヤモンドツール等によるドレッサー装置で回転に対して９０度方向の両方向から挟み込み、砥石を左右に移動させながら均等にダイヤモンドツール等を９０度方向に前進させて、研削砥石を削っていく。
その際に片方を定量的に前進させると双方向に反対面も同時に同量だけ前進させることで研削砥石の幅を仕上げることができる。
図４（ドレッサー装置の概要）
【図面の簡単な説明】
【０００６】
【図１】ギア等とラック等の取り付け位置と駆動方法の説明をしたものである。力の伝達順番▲１▼〜▲５▼により双方向駆動が行える。
【図２】ギア等とラック等のかみ合わせのクリアランスはＹ方向で調整するが、装置の移動方向のクリアランスはＸ方向で決まる。Ｙ方向のクリアランスを可能な限り小さく調整すればＸ方向のクリアランスはラック等の角度がＡ＜４５°ならさらに小さくなる。これにより２つのラック等の駆動のタイムラグが極めて少なくなるということを説明したものである。
【図３】研削砥石のドレッシング方法を説明したものである。
【図４】本発明により開発した研削加工用ツインドレッサー装置の概要である。
【図１】
2011161621.tif 000003
【図２】
2011161621.tif 000004
【図３】
2011161621.tif 000005
【図４】
2011161621.tif 000006
(57)【要約】      （修正有）【課題】手に荷を持つ引越し時や、足元が見えない作業をしている際、サンダルの踵を踏み付け、ツンノメル危険や、足元に重量物を落しても安全性がある、靴とサンダルの性質を持つ履き物の提供。【解決手段】サンダルとして使いたい時には、紐をスニカルの踵部位の外側に畳み込んで置き、使用し、之を靴として、使用したい時には、やはり、紐を畳まれた位置から人の足の踵位置まで起こして使う。【選択図】図１
2011161199.tif 000002
【特許請求の範囲】
【請求項１】
サンダルの様な形状にして作り、サンダル、スリッパの本質を持つ形状を保たたせるまま、サンダル前部を通常市販されている靴の型やズック、運動靴の様にして作るスニカル（Ｔ．８０２）が発明され、その特徴は、サンダルの後部に向って足を覆う部材品が低くなってゆく、変形靴となるものであり、特願２００６−１３７０３６号に先行権を持つ筆者の発明品であり、
【請求項２】
本発明スニカル・ワーク・シューズを効率良く、仕事（業務）に用いるには、本発明、スニカル踵紐（Ｔ．６３４）は、図示する、回転式と固定式にし、之に申縮性を付け、之をサンダルとして用いる場合、踵紐（Ｔ．６３４）は、本件サンダルの踵上と踵下の中間の位置にしまい込んで使い、靴として使う時には、スニカル踵留紐（Ｔ．６３３）を出して、人の足の踵部位まで、引き上げて使用する、サンダルにも、靴にもなるワークシューズが発明される請求。
【発明の詳細な説明】
【技術分野】
【０００１】  内仕事（特に、引っ越し作業）アルバイトをしている際、人の履く履き物を見ている時、それぞれの人々の靴の踵が実にじゃまになっている様に思えたが、実にその部分が重要視される為、３／４程、削り取り、スニカル（Ｔ．８０２）と呼ばれる履き物を作って見た所、スリッパやサンダルと違って、足への吸い付きやバランスの大変良くなる技術力が生じる物となり、踵紐はスニカルの甲部ではなく、踵中央部に収納しておくものとし、【０００２】  大荷物を両手に持ち、足元が見えない時、現在市販されている、ツッカケ、サンダルの踵を踏み付け、ツンノメル危険性の生じる時、この危険性を回避する為、サンダル、スリッパの踵紐（Ｔ．６３３、Ｔ６３４）の発明される時、従来のサンダルの考え方には無かった足の踵を保護する技術力さへ、ここに生じた。
【背景技術】
【０００３】●特願２００６−１３７０３６、符号の説明と同文章となります。●特願２００５−１４６０２６
【先行技術文献】
【０００４】●特願２００６−１３７０３６請求項４と５の説明と同文章となります。●特願２００５−１００３５７
【発明の概用】
【発明が解決しようとする課題】
【０００５】  筆者は若い頃から何んでもやってみたく発明を趣味とし、午前と午後とでは全ったく別な仕事をしている程職を変えていたが、突然、人生の分岐点に差しかかった。突如、人生を回想しなければならない事となっていた。―親が突然死したのである。
特定財団から顧問に来る様に誘われるが行かず、定職にも着かず、派遣先で、アルバイト、フリーターをし、引っ越しの手伝い、お掃除、イベントの後片付けをお手の元とし、藤吉郎より優れ様と努力していたが、マニアックな発明癖は、未だ治るものではなかった。―課題が生じた。
【課題を解決する為の手段】
【０００６】  それは、考え事をしながら作業をしていて、踵を踏み付け、転倒したり、足元に重量物を落として、ケガをした際に、本発明品、スニカル（Ｔ．８０２）靴を考え出し、その構造はサンダルの様な形状にして作り、その特徴は、サンダルの後部に向って、足を覆う部材品が低くなってゆき、足の踵部位は、３／４程削って、１／４程残した変形靴を作り、スニカルの前（表）面部には、硬板を貼り易くし、（甲板はつけなくともよい。）之に踵紐を用けた。
【発明の効果】
【０００７】  大荷物を両手に持ち、足元が見えない時、現在、市販されているツッカケ、サンダル類を履き作業をしていた場合、踵を踏み付けて、転倒しないで済むには、足に、踵紐を（回転式を含む、バックルボタンで）取り付けた場合、（Ｔ．６３０）には、スニカルの足の踵への吸い付きは更に強尽になるものであり、足のつま先に貼り付け型の飾り付き鋼板を靴の外側に貼り付けた場合、スニカルが更に安全且つ美しく見える物となった。
【図面の簡単な説明】
【０００８】
【図１】  本発明、スニカル（Ｔ．８０２）の構造（本体）分解図を立体図にし、図面の中央に表わし、スニカルを靴に近い物として使用したい時には、図面、左図の様に、本発明スニカル踵留紐（Ｔ．６３４）を踵に（回転を含む）固定させ、サンダルやツッカケに近い物として使用する時には、右図の様にして、使用する事を示している。
【発明を実施する為の最良の形態】
【０００９】  サンダル（ツッカケ）が欲しい時、サンダルになり、靴が欲しい時には靴となる、今までに無い新しいジャンルの発明品が創作される時、本発明品は、その２つの欲求を完全に満す事が出来ていた。
【実施例】
【００１０】  本発明、スニカルを履いて、引っ越しのアルバイトをしている時、動き易く、作業し易ものとなったが、足のつま先にピアノを落した時、スニカルは１ｔまでの衝撃力に耐えるものになっていた。
【産業上利用の可態性】
【００１１】  本発明、スニカル靴は、カジュアル的に用いられる、完壁なサンダル靴として、カラフルな、明るい単色を用い、内履、外履の両方に用られ、安全性にも優れている事を産業界が理解した際、産業の利用性は極めて高い物となり、ヒット作品になる物と思われた。
【符号の説明】
【００１２】１．大荷物を両手に持ち、足元が見えない時、現在、市販されているツッカケ、サンダルの踵を踏み付けてツンノメル危険性の生じる時、この危険を回避する為、サンダル、スリッパの踵留め（Ｔ．６３３）が発明された事を示し、踵留め紐（Ｔ．６３４）は、２．強靱な回転式バックルボタンで留め、３．手芸を施した鋼板を表わし、足のつま先を保護する為、スニカルの表てに貼り付けられている事を示している。４．本発明スニカルの踵紐が現在真以られ市場に多く出迴っている事を示す図だが、スニカルをこういう風にして作ると、踵紐の必要、不必要時にいちいち、スニカルを脱いだり、履いたりしなければならない不便（Ｙバリュー）さが生じる物となりますが、５．本発明されるスニカル踵紐は、不要時には、足の甲の上に畳んでおくのではなく、６．本図、スニカルの踵中間部位に、畳み込む場所を造り、安置しておくと、人の足をいちいち脱着させなくとも、ちょっと踵紐を持ち上げただけで、筆者の考える完全なスニカル、シューズ（Ｔ．８０２）並びにスニカル踵留め（Ｔ．６３３  Ｔ．６３４）が出来上がるものとなった。７．足の甲、硬板。８．スニカルの踵部位を通常に見られる履物の踵部位の高さより、３／４程削っている事を示した図。９．固定式ボタン。１０．ゴム等の申縮素材で、この部位を作る。
【図１】
2011161199.tif 000003
【手続補正書】
【提出日】平成22年2月8日(2010.2.8)
【手続補正１】
【補正対象書類名】図面
【補正対象項目名】全図
【補正方法】変更
【補正の内容】
【図１】
2011161199.tif 000004
(57)【要約】      （修正有）【課題】車椅子の自走式でハンドリング体型で回すのに腕に力の無い高齢者や女性の病弱な人達も多かった。このような要介護者は自走式も、介助式も関係なく他者の手を借りなければ車椅子は動かなかった。車椅子に乗ったそのままの姿勢でヒザ横で手回しのできる車椅子の提供。【解決手段】怒り肩で力強く早く車椅子を動かすことのできる人。車椅子での激しいスポーツを楽しめる人もいる。たが、これらは一部の人でハンドリングでは動かすこともできない要介護者が大多数です。体力の少ない患者でも車椅子に乗ったままの姿勢で動かせるのでその姿は正座と胡座ほどの違いはある。車椅子で乗り降りに支障のない箇所はヒジ掛けの前方のヒザ横の外部分しかありません。ここにハンドリングの動力源６を移すことで力強さから上品さへの移動です。従来の自走式車椅子や介助式車椅子に付属部品として取り付けられる動力源の位置にしたのが特徴とする。【選択図】図２
2011161196.tif 000002
【特許請求の範囲】
【請求項１】
通常の車椅子（１）の自走式のハンドリング（４）は患者の後方に位置し、怒り肩姿勢で腕の力で直接車椅子タイヤ（２）を回して走行していた。介助式車椅子にもこの輪のサイズを変えて取り付けると自走式となる。走行する動力源を高齢者でも病弱者でも動かせる位置のヒザ横に移設した装置。
【請求項２】
車椅子（１）の両サイドのヒジ掛けパイプと車椅子（１）の両車輪（２）の間隔が少ないため強度のある薄い鋼板か強化プラスチックの組み合わせで、片側で手回し動輪（６）と２つの伝動ゴマ（７）を移設盤に取り付け、手回し動輪（６）と車椅子車輪（２）が同じ回転になるようにした。この逆回転になる伝動ゴマ（７）を両側のタイヤ（２）に伝えることよって走行するようにした装置。
【請求項３】
移設盤（５）の下部は車椅子車軸（３）に車軸固定引っかけ（１４）で固定し、上部の手回し動輪（６）伝動ゴマ（７）のついたヒジ掛けパイプ（１２）の角にパイプサック（１３）状に差し込んで、双方をジョイント部分（１５）で一体化して固定する。ヒザ元の外側についた手回しトッテ（１６）を前方回しにすると伝動ゴマ（７）から車椅子タイヤ（２）に伝わり前進する。手回しトッテは折り畳み式にする。
【請求項４】
調整棒（９）の先のバネ（８）で引き合っている伝動ゴマ（７）と伝動ゴマ（７）は手回し動輪（６）と車椅子タイヤ（２）の間に調整棒（９）により微調整しながら挟まっているので双方の伝動ゴマ（７）で車椅子タイヤ（２）と手回し動輪（６）の空回りを防ぎ回転する。車椅子タイヤ（２）の空気圧にも対応できる。空転レバー（１０）を引けば移設盤に設けた長穴に準じて伝動ゴマ（７）は手回し動輪（６）側に寄り伝動ゴマ（７）同士の間隔は開いて車椅子のタイヤ（２）から伝動ゴ（７）は離れるので、通常のハンドリングの車椅子（１）に戻すことができる。
【発明の詳細な説明】
【技術の分野】
【０００１】  自走式車椅子はハンドリングで前進するが、女性や高齢者にはこの体勢では力が入が入れにくいので、ヒザ横で動かせるように移設装置を設けた。車椅子の車輪とヒジ掛けの狭い間に車椅子の車軸とヒジ掛けのパイプの角に移設盤を取り付けて、その移設盤に設けた小さな２つの伝動ゴマとヒジ掛けの空間に納まる手回し動輪で車椅子タイヤを動かすヒザ横手回し車椅子走行装置である。
【背景技術】
【０００２】  立てない人や歩けない人にとっては車椅子は身体の一部だが、腕の力のある人は自由に操縦し、スポーツにまでなっているが、それはごく限られた人達で、病弱の人や腕に力のない高齢者はいつも介護者の手を借りることになっていた。そこでハンドリングに変わる走行装置が必要であった。
【発明の開示】
【発明が解決しようとする課題】
【０００３】  自走式の車椅子の走行では、腕の力のある人はよいが、腕の力のない病人や女性や高齢者には、あの怒り肩での走行は肩を痛めたり、腕を痛めることもあり、体勢に無理があった。そこで介護者の手を借りて車椅子の走行をするしかなかった。自走式車椅子でありながら介助式車椅子になっていたが、この装置をつけることで自走式も介助式も区別がなくなった。
【課題を解決するための手段】
【０００４】  車椅子（１）の車輪（２）と座席のヒジ掛けパイプのスキ間はごく僅かであるが、この透き間を利用してヒザの横で手回しで車椅子（１）を動かす装置にした。車椅子タイヤ（２）と手回し動輪（６）は同じ前回転にするため、その間に挟まれた伝動ゴマ（７）２つは逆回転になる。さらに車椅子タイヤ（２）の空気圧や間隔も調整棒（９）の先についた伝動ゴマ（７）２つの間のバネ（８）が伸び縮みして調整する。空転レバー（１０）を引くと、車椅子タイヤ（２）は伝動ゴマ（７）は分離して通常の車椅子（１）に戻る。このような構成による。
【発明の効果】
【０００５】  車椅子の動力源のハンドリングは患者の後方についている。本発明の動力源は患者の前方ヒザ横の両側のサイド位置になるので体勢に無理がない。この位置では肩や腕にかかる力具合がハンドリングとは異なる。怒り肩で車椅子を動かすハンドリングに変わり、その姿は高齢者や女性にはスマートで品格もある。廊下や人の行き交う場所でも腕が当たらない。しかし本発明とハンドリングの両方を使い分けることもできる。本発明装置と外出の際はハンドリングと使い分けるようにすることもできる。
【発明を実施するための最良の形態】
【０００６】  以下、本発明を実施するための最良の形態について説明する。
車椅子車軸（３）に移設盤（５）の下部を引っかける。次いで上部には調整棒（９）に取り付けた伝動ゴマ（７）２個と手回し動輪（６）が着いているので、これをヒジ掛けパイプ（１２）角にパイプサック（１３）で差し込んで、この移設盤（５）を一体化するようにジョイント（１５）で調整しながら固定する。車椅子タイヤ（２）と手回し動輪（６）の間に挟まる伝動ゴマ（７）２個の間にはバネ（８）に引かれて空転を防止する。手回し動輪（６）の手回しトッテ（１６）を前回しにすると伝動ゴマ（７）は逆回転するので、車椅子タイヤ（２）は前進方向に回転して車椅子（１）は前に走行する。空転レバーを引くと車椅子タイヤ（２）から外れるので通常の車椅子になる。
【図面の簡単な説明】
【０００７】
【図１】  車椅子のハンドリング側面図である。
【図２】  車椅子のヒザ横手回し動輪図である。
【図３】  本発明のヒザ横手回し動輪拡大図である。
【図４】  本発明のヒザ横手回し動輪断面図である。
【符号の説明】
【０００８】  １  車椅子
２  車椅子タイヤ（車輪）
３  車椅子車軸
４  車椅子ハンドリング
５  移設盤
６  手回し動輪
７  伝動ゴマ
８  バネ
９  調整棒
１０  空転レバー
１１  レバーワイヤー
１２  ヒジ掛けパイプ
１３  パイプサック
１４  車軸固定引っかけ
１５  ジョイント
１６  手回しトッテ（折り畳み式）
１７  調整棒支点
【図１】
2011161196.tif 000003
【図２】
2011161196.tif 000004
【図３】
2011161196.tif 000005
【図４】
2011161196.tif 000006
(57)【要約】【課題】    従来の係止構造はホックの重ねあわせの正確な位置決めが要求される寸法許容がないため幼い子供や老人には扱いにくい。【解決手段】    コイルを設けたホック雄とコイルを設けたホック雌を押し付けて食い込ませてかみ合わせると、ホック雄とホック雌に設けたコイルが押し付けあってホック雄とホック雌が固定され係止される。【選択図】図２
2011161194.tif 000002
【特許請求の範囲】
【請求項１】
弾性材からなるコイル３を設けたホック雄１と弾性材からなるコイル３を設けたホック雌２で構成される係止構造。
【請求項２】
クサビ、又は、棒等の凸部４を設けたホック雄１と弾性材からなるコイル３を設けたホック雌２で構成される係止構造。
【発明の詳細な説明】
【技術分野】
【０００１】  本発明は、衣類やバッグ等の係止構造に関するものである。
【背景技術】
【０００２】  従来の係止構造は凹凸のホックである（例えば、特許文献１参照。）
【先行技術文献】
【特許文献】
【０００３】
【特許文献１】  特開２００９−７２３２９号  公報
【発明の概要】
【発明が解決しようとする課題】
【０００４】  従来の係止構造は正確な位置決めを要し、寸法許容がないため幼い子供や老人には扱いにくい。【０００５】  本発明は、従来の構造が持つ問題を解決しようとするものであり、容易に係止でき、また、寸法変化を許容できることを目的とするものである。
【課題を解決するための手段】
【０００６】  上記の課題を解決するため、本発明では弾性材からなるコイルを設けたホック雄と弾性材からなるコイルを設けたホック雌で構成される係止構造としたものである。【０００７】  また、第２の解決手段は、クサビ又は棒状凸部を設けたホック雄と弾性材からなるコイルを設けたホック雌で構成される係止構造としたものである。【０００８】  上記第１の課題解決手段による作用は次のとうりである。すなわち、弾性材からなるコイルを設けたホック雄を弾性材からなるコイルを設けたホック雌に押し付けるとホック雄のコイルがホック雌のコイルに食い込み、コイルのバネ力でホック雄とホック雌が固定される。【０００９】  上記第２の課題解決手段による作用は、上記第１の課題解決手段と同様にクサビ又は棒状凸部を設けたホック雄弾性材からなるコイルを設けたホック雌に押し付けると弾性クサビ又は棒状凸部を設けたホック雄がホック雌のコイルに食い込み、ホック雌のコイルのバネ力でホック雄とホック雌が固定される。
【発明の効果】
【００１２】  上述したように本発明の係止構造は、容易に係止し、また、容易に外すことができる。
【図面の簡単な説明】
【００１３】
【図１】第１の実施形態のホック雌２の上視図である。
【図２】第１の実施形態の側面図である。
【図３】第２の実施形態のホック雄１の側面図である。
【発明を実施するための形態】
【００１４】  以下、本発明を発明の実施形態に基づいて詳細に説明する
【００１５】  実施例について図面を参照して説明すると、図１のようにコイル３を設けたホック雌２とコイル３を設けたホック雄１を、図２に示すように押し付けて食い込ませてかみ合わせると、ホック雄１とホック雌２に設けたコイル３が押し付けられホック雄１とホック雌２が固定され係止される。外す際はホック雄１の端部を持ち上げれば容易に外れる。実施例ではコイル３は単列であるが、複列の構造でも良い。
【００１６】  他の実施例としては図３のように、クサビ４を設けたホック雄１とする、ホック雄１のクサビ４をホック雌２のコイル３に押し付けて食い込ませ、かみ合わせると、ホック雌２に設けたコイル３が押し付けられ、ホック雄１とホック雌２が固定され係止される。
【符号の説明】
【００１７】  １  ホック雄
２  ホック雌
３  コイル
４  クサビ
【図１】
2011161194.tif 000003
【図２】
2011161194.tif 000004
【図３】
2011161194.tif 000005
(57)【要約】【課題】布地をはさみ込み布地に固定する衣料用ボタンを提供する。【解決手段】  ボタン本体の下部に中空軸を設け、中空軸の下部に脚部を設けたボタンに、底部のついた針を布地を通して差し込み圧着することで、布地に固定することを特徴とする衣料用ボタン。【選択図】図１
2011161192.tif 000002
【特許請求の範囲】
【請求項１】
ボタン本体の下部に中空軸およびその下部に脚部を設けたボタンと、針の下部に底部を設け、針の中ほどに切り込みを設けたことを特徴とする簡易取付ボタン。
【発明の詳細な説明】
【技術分野】
【０００１】  この発明は、衣料用ボタンの布地への固定に関するものである。
【背景技術】
【０００２】  従来、衣料用ボタンは針と糸、または特殊な針により布地に固定されていた。
【先行技術文献】
【０００３】
【特許文献１】特開平１１−２０６４１８号公報
【特許文献２】特許２５３５１９６号公報
【発明の概要】
【発明が解決しようとする課題】
【０００４】  そのために、次のような問題点があった。
（イ）針と糸を使用する場合は、取付に時間が掛かり、安全かつ良好な取付状態を得るた      めには熟練を要した。
（ロ）特殊な針により取付ける場合は、ボタン本体と布地との距離を保つことができない      ためボタンの掛け替えが難しく、また布地にあけた孔の傷みが大きい。
本発明は、これらの問題点を解決するためになされたものである。
【課題を解決するための手段】
【０００５】（イ）ボタン本体の下部に中空軸を設け、最下部に脚部を設ける。
（ロ）針の下部に底部を設ける。
（ハ）針の中ほどに切り込みを設ける。
【発明の効果】
【０００６】  熟練を要しない簡単な作業であるため、短時間で取付ることができ、また安全性も高い。
針の底部とボタンの脚部により布地をはさみ固定することで、ボタン本体と布地との距離を保つことができボタンの掛け替えが容易であり、また布地にたいする負担も小さい。
【図面の簡単な説明】
【０００７】
【図１】本発明の斜視図
【図２】本発明の取付中の断面図
【図３】本発明の取付完了時点の断面図
【発明を実施するための形態】
【０００８】  以下、本発明の実施の形態について説明する。
（イ）ボタン本体（１）の下部に中空軸（２）を設け、最下部に脚部（３）を設ける。
（ロ）針（４）の下部に底部（５）を設ける。
（ハ）針（４）の中ほどに切り込み（６）を設ける。
本発明は以上のような構成で、これを使用するときは、布地（７）裏面より針（４）を布地（７）に通し、布地（７）表面からボタン本体（１）を脚部（３）側から差し込み圧着することで、布地（７）に固定する。
針（４）の余った部分を針（４）に設けてある切り込み（６）より、折り取り除去する。
【符号の説明】
【０００９】    １  ボタン本体
２  中空軸
３  脚部
４  針
５  底部
６  切り込み
７  布地
【図１】
2011161192.tif 000003
【図２】
2011161192.tif 000004
【図３】
2011161192.tif 000005
(57)【要約】【課題】  介護施設利用者が多い状態の時の配膳および片づけを楽にする製品を提供する。【解決手段】  短時間で配膳や片づけが出来る様、食事に必要な食器とトレーを一体にし、扱いを簡単にして問題を解決する、又、食事を取る人の箸も工夫する事で本人も介護士さんも楽になる。【選択図】図１
2011161191.tif 000002
【特許請求の範囲】
【請求項１】
食器として使える様に、多数の凹凸をトレーに加工した製品
【請求項２】
二本の箸を連結して物を挟み易くした製品
【発明の詳細な説明】
【技術分野】
【０００１】  本発明は、最近増えている要介護者が自宅や、介護施設内で食事をするときの配膳や片づけを手軽に出来る様に食器とトレーを一体にした物である。
【背景技術】
【０００２】  今、介護施設においての食事の配膳や片づけは介護者の人数が増えれば増えるほど仕事の量が少人数の時より数倍の負担になってしまいます、そこで出来るだけ手間を少なくす為に、厨房で支度がし易く効率的に配膳や片づけが出来、しかも本品は何時までも再利用出来るエコな製品である。【０００３】  現在利用されている介護施設においては出来るだけ作業効率を良くし、コストを低くする必要がありその為の解決に役立つ製品である。
【発明の開示】
【発明が解決しようとする課題】
【０００４】  今、介護施設で介護を受ける人の数は年々増えているのが現状です、その為介護の費用も必然的に高いコストが掛かり、要介護者の介護費の負担増が問題になります、しかし、この負担増は要介護者が努力して解決出来る問題では無く施設側で効率を良くする事で少しでも負担を少なくなる様な努力が求められます、そこで考えたのが配膳や片づけの効率を上げる方法として考えた製品です。
【課題を解決する為の手段】
【０００５】  今は各料理を別々の食器に分けて入れている為、重ねる事は難しく、配膳車にわざわざ隙間を設けて収納して運んでいます、本品は各人のトレーを数段重ねる事が出来る為に配膳車も小型で軽く出来るので配膳が楽になる。
【発明の効果】
【０００６】  配膳のトレー（１）と食事用の区分け部分（２）、（３）に料理を本品に分けていれ（６）の再利用出来るシートを敷いて上段との間に少しの隙間だけで重ね合わせる事が出来る為に配膳車も小型になり操作も楽になり、また、片づけも大分楽になる。
【０００７】  今までの箸を（図３）の様に２本を一体に連携させる事で手の力が弱くなった人にも楽に箸を使える様になり、（図４）の形状にする事により箸でものを摘むのではなく、挟む感じになり物を取り易くなり食事が楽になる。
【０００８】  又、本品は自宅でも介護施設の製品を利用する事が出来使い勝手がよく、自宅での食事の支度も片づけも楽になり自宅介護も楽になる。
【発明を実施するための最良の形態】
【０００９】  以下、本発明を実施するための最良の形態を図１〜図４に基づいて説明する。【００１０】  （１）はトレーの一部で料理が入る部分（２）（３）と一体に形成している、（４）は箸を収納する部分（５）は本品を重ねて運ぶときに用いるシート（６）の受け部分である。【００１１】  （７）は二本の箸を連結させて、指を動かす力が弱くなった人でも、箸の使い方を楽にする為に設けた物である。
【図面の簡単な説明】
【００１２】
【図１】本発明の単品形態図
【図２】本発明の重ねた形態図
【図３】本発明の箸の形態図
【図４】本発明の箸のＡ−Ｂ拡大図
【符号の説明】
【００１３】  １      本体部
２      料理を入れる為の部分
３      汁物の椀を受ける為の部分
４      箸やスプーンを入れる部分
５      本品を重ねた時のずれ防止部分
６      本品を重ねた時に上段の底の汚れを防ぐシート
【図１】
2011161191.tif 000003
【図２】
2011161191.tif 000004
【図３】
2011161191.tif 000005
【図４】
2011161191.tif 000006
(57)【要約】      （修正有）【課題】従来のペダル運動具では運動時に両膝が左右にブレて正確な運動が出来ず、ストレッチ、整体効果が少なかった。疲労回復、腰痛、肩コリ等が改善されるペダル運動具を提供する。【解決手段】両ペダル足受内側と両膝の内側の運動時に左右のブレが無い様に内側及び外側に壁を設ける。両ペダル及び内外壁は両股関節幅になる様に設定する。【選択図】図１
2011161200.tif 000002
【特許請求の範囲】
【請求項１】
運動時両膝の当る位置に内、外両壁を設ける、ペダル運動時に膝の左右ブレを無すこと及び運動時に下肢全体が一直線に（足、膝、股関節の３点）運動する様に設定したペダル運動具。
【発明の詳細な説明】
【技術分野】
【０００１】本発明は軽いペダル運動で疲労回復、腰痛、肩コリ等が改善されるペダル運動具に関するものである。
【背景技術】
【０００２】
2011161200.tif 000003
あった。
【先行技術文献】
【０００３】
【発明の概要】
【発明が解決しようとする課題】
【０００４】従来具では正確な下肢運動が出来ず大きな効果は得ることが出来なかった。
【発明が解決するための手段】
【０００５】両ペダルの間隔を狭ばめ膝が運動時の左右ブレ止め壁を設ける、間隔幅は両股関節幅、以上の構成よりなるペダル運動具。
【発明の効果】
【０００６】従来効果が少なかった運動効果（疲労回復、腰痛、肩コリ等）を本発明により効果を大きく期得出来る。
【図面の簡単な説明】
【０００７】
【図１】本発明の斜視図
【図２】本発明の正面図
【図３】本発明の使用図
【発明を実施するための形態】
【０００８】以下本発明の実施の形態を説明する。
（イ）本体（５）に運動時両膝の当る内側と外側に内側壁（２）及び外側壁（４）を設ける
（ロ）ペダル（６）は運動時下肢全体が股関節の幅で運動できる様に設定する。
本発明は以上のような構造である。
本発明を使用する時は外側壁（４）は可動式にし各個人の位置に設定する。
【符号の説明】（１）ハンドル  （２）内側壁  （３）サドル  （４）外側壁  （５）本体  （６）ペダル
【図１】
2011161200.tif 000004
【図２】
2011161200.tif 000005
【図３】
2011161200.tif 000006
(57)【要約】      （修正有）【課題】専門技術を持たない素人が、ネイルの剥がれた部分や爪が伸びて生じた隙間などの修正を簡単に美しく短時間で行える超簡単ネイル修正液を提供する。【解決手段】小型で携帯可能なチューブ型や注射器型の容器１にマニキュア液を入れ、先端２から液を修正箇所に流し込むだけの誰でも手軽にネイルの修正をできるのが特徴である。【選択図】図１
2011161185.tif 000002
【特許請求の範囲】
【請求項１】
密閉度の高いチューブや注射器などの容器に粘着の強いマニキュア液をいれ、細い先端からネイルの修正箇所に流し込む、携帯可能な超簡単ネイル修正液。
【発明の詳細な説明】
【技術分野】
【０００１】この発明は、密閉度の高いチューブや注射器などの小型の容器に粘着の強いマニキュア液をいれた超簡単ネイル修正液に関するものである。
【背景技術】
【０００２】従来は、バイオジェルネイル、スカルプチャーネイルの修正は、専門技術を要するもので、素人が綺麗に修正するのは難しい。
【先行技術文献】
【０００３】
【特許文献１】
【非特許文献１】
【発明の概要】
【発明が解決しようとする課題】
【０００４】（イ）従来のネイル修正は、爪が伸びて出来た隙間や剥がれた部分は、特にバイオジェルネイル、スカルプチャーネイルなどの専門技術を要するネイルの場合、凹凸が激しく、素人が自分で美しく修正するのは従来のマニキュアの形状では難しい。
（ロ）修正のみでネイルサロンに行くと、時間と費用もかかる。
（ハ）急を要する処置法がなく、多くのネイル利用者が困っている。
本発明は、以上のような欠点をなくすためになされたものである。
【課題を解決するための手段】
【０００５】−チューブの場合−
チューブ本体（１）にマニキュア液を入れ、本体（１）を指で押すことで、チューブ先端（２）よりマニキュア液が出る。
−注射器の場合−
注射筒（１）にマニキュア液を入れ、ピストン（３）で本体（１）に入っているマニキュア液を押すと、注射筒の先端（２）より液が出る。
以上のような作業工程により、専門技術を要することなく、誰でも簡単に短時間でネイル修正を行うことができる。また、小型容器なので持ち運びが可能となり、急な応急処置にも対応することができる。
【発明の効果】
【０００６】ネイルの剥がれた部分や爪が伸びて生じた隙間に沿って、チューブ型、注射器型の先の小さな穴から液を流し込むだけで作業は完了。
ピンポイントでコントロールが簡単な方法なので、短時間でだれでもいつでもどこでも美しく修正することができる。
持ち運びに便利な携帯サイズである。
【図面の簡単な説明】
【０００７】
【図１】本発明のチューブ型容器の斜視図である。
【図２】本発明のチューブ型容器の断面図である。
【図３】本発明の注射器型容器の斜視図である。
【図４】本発明の注射器型容器の断面図である。
【発明を実施するための形態】
【０００８】以下、本発明を実施するための形態について説明する。
−チューブの場合−
チューブ本体（１）にマニキュア液を入れる。本体（１）を指で押すことで、チューブ先端（２）よりマニキュア液が出る。
使用していないときは、キャップ（３）を先端に被せる。キャップ内部には、軸がついており、キャップ（３）を被せた際に軸が本体の先端の口に挿入される。これは、先端の口が液で固まり、次回使用するときに液の流出を妨げないようにするためである。
また、キャップ（３）の先端は薄く平らになっており、ネイル修正の最終段階で、形を整え美しく仕上げるためのものである。
−注射器の場合−
注射筒（１）にマニキュア液を入れる。ピストン（３）で本体（１）に入っているマニキュア液を押す。注射器の先端（２）より液が出る。
使用していないときは、キャップ（４）を先端に被せる。キャップ内部には、軸がついており、キャップ（４）を被せた際に軸が本体の先端の口に挿入される。これは、先端の口が液で固まり、次回使用するときに液の流出を妨げないようにするためである。
また、キャップ（４）の先端は薄く平らになっており、ネイル修正の最終段階で、形を整え美しく仕上げるためのものである。
本発明は、以上のような構造である。
これを使用することで、専門技術をもたない素人でもネイル修正を簡単に短時間で美しく仕上がることが出来る。
【符号の説明】
【０００９】１．チューブ、注射筒
２．チューブ、注射筒の先端
３．チューブの場合：キャップ
注射器の場合：ピストン
４．注射器のキャップ
【図１】
2011161185.tif 000003
【図２】
2011161185.tif 000004
【図３】
2011161185.tif 000005
【図４】
2011161185.tif 000006
(57)【要約】      （修正有）【課題】介護の時に多く発生する要介護者のベッドから車椅子への移動を楽にするシステムを提供する。【解決手段】ベッド本体１に可動式の車椅子受け２と、固定式の車椅子受け３を設け車椅子を収納し、車椅子を、そのまま、ベッドの一部に利用し、就寝や移動も楽に行える。【選択図】図３
2011161190.tif 000002
【特許請求の範囲】
【請求項１】
ベッド本体（１）に可動式の車椅子受け（２）と、固定式の車椅子受け（３）を設けた車椅子を収納出来るベッド。
【請求項２】
車椅子の体が接触する部分（４）に大小、色々な孔をあけてクッションをコントロールしたシリコンゴムシートを使用して体を柔らかく包む事を特徴にした車椅子。
【請求項３】
ベッド本体（１）に位置移動が可能、取り外し自由な支柱ホルダー（１５）を設け、点滴ホルダー（１３）や、多目的に利用できるテーブル（１４）等を取り付可能な支柱（１２）を設ける。
【発明の詳細な説明】
【技術分野】
【０００１】  本発明は、最近増えている要介護者が自宅や、介護施設内に於いての就寝行動や体の移動行動において、移動する時に車椅子を必要とする人の場合、今まではベッドから車椅子に体を移して行動する事が必要である、しかし、この作業が大変です、本発明はその手間を省き作業を簡単で手軽に処理できる様にした介護補助に関するものである。
【背景技術】
【０００２】  今ある介護施設においては要介護者の体をベッドから車椅子に移し替える事が必要となっています、この移し替えの問題は、殆どが、今までの病院の施設の一部を利用していた時と同じで、その多くは病人用に考えられたシステムを其のまま使用しているためで、今まではベッドの病人及び介護を受けるお年寄りを移動させるのは多人数で行うことが出来ましたが今はその様な余裕がなくなり、多くは一人でその作業を行う為に大変な作業になっています、そこで、門題解決するために考えたのが本発明である。【０００３】  現在利用されている介護施設においては、今までの状況や条件が違って多人数の要介護者を少人数の介護師で処理をしなければ成らない状態で、多くは介護する人達に大きな負担が掛かって来て、大変な状況になっている。
【発明の開示】
【発明が解決しようとする課題】
【０００４】  今までの介護は、病院の一部を利用して行っていましたが、利用する人の増加と、高いコストによる介護費の負担増が問題になり、別に施設を作り今までの方法とは違う処理の仕方に成っては来ました、確かに建物や造りは変わりましたが、依然として換わらないのがベッドと車椅子です、そこで行われる作業は今迄と少しも変わらず、ベッドから車椅子に乗り換えさせるのに、殆ど介護師一人で行わなければ成らず、介護をする人の最大の仕事になってしまっている。
【課題を解決する為の手段】
【０００５】  今までの様に無駄な力仕事を無くし、もっと大事なコミュニケーション等の仕事が行える様にする為にと考えたのが（図１）で、車椅子をベッドの一部に収納出来る様に造り要介護者のベッドから車椅子に移し替えの必要が無くなり両当事者の負担が楽になる様に、ベッドの一部を車椅子と共用出来るような造り（図２）、（図４）にして、わざわざベッドから人を車椅子に移動させる必要を無くして問題を解決する。
【発明の効果】
【０００６】  車椅子の作りを（図１）の様にベッドマット部分にシリコンゴムシートに大小の穴を開けて伸縮をコントロールして体を受け止める様にすることで、長時間ベッドを使う人が経験する床ずれも防ぐ事が出来、しかも軽量に作れるために、ベッド全体もシンプルに製造できる。
【０００７】  今までのベッドを利用している場合に体を起こす時、機械でコントロールしていますが、その可動部分は重く、起こす時に必要な動力も大きなものが必要でした、本装置はシンプルな構造に出来るため小型の動力で操作ができ、また、移動の時もその動力を利用して移動が楽に出来る。
【０００８】  この様なシステムを作る事で、自宅と介護施設の両方を利用する場合にも同じシステムが利用できる為に自宅でも医療介護施設内でも、そのまま車椅子で移動出来、あまり人の手を煩わせず医療介護施設等を楽に利用出来る。
【発明を実施するための最良の形態】
【０００９】  以下、本発明を実施するための最良の形態を図１〜図４に基づいて説明する。【００１０】  （４）は今までのベッドに寝ているときに体を支える目的のベッドマットの堅くて重い欠点をシリコンゴムシートに図１（４）の様に大小の穴を開けて体を吊す様な状態で体を持ち上保持するため体を包み込む様な感じにすることが出来て体への負担を軽くすることが出来、また、通気性が良くなるために体にとても優しいベッドになる。【００１１】  （６）は背もたれの部分の角度調整と（７）の移動用タイヤの動力用モータおよびバッテリ収納部で、自宅介護で家族に世話になる時も、自宅で背もたれの角度調節や室内の移動が簡単になり介護が楽になる。【００１２】  （２）の部分はスプリング等で立ち上がり状態にしてあり車椅子が入ってきた時に車椅子の背もたれの状態に合わせて角度を変え、また、ベッド使用の状態に成った時はベッドが広く利用できる様にセットされ（３）は足の部分を広くするためにベッド側にセットされている。【００１３】  （５）は車椅子の時は肘掛けとして利用し、ベッドに収納した時は倒してベッドを広く利用する。【００１４】  （８）は前輪で、ここは一輪で方向転換が楽に出来る様にしてある、（９）は平らな場所では少し浮いた状態でいるが、段差のある場所では（９）が接地して安定度が増す。【００１５】  図３は車椅子がベッドとして使用できる様に成った状態を示している。【００１６】  図４は簡単な医療治療で点滴等の場合（１１）のフックが利用でき、（１３）で食事やテレビ台等に利用するテーブルを複数設置出来る支柱（１２）を設ける。
【図面の簡単な説明】
【００１７】
【図１】本発明の実施形態の車椅子図
【図２】本発明の実施形態のベッド本体図
【図３】本発明の実施形態で車椅子とベッドが一体になった図
【図４】本発明の実施形態の便利な利用方法の図
【符号の説明】
【００１８】  １      ベッド本体
２      ベッドを広く使う為の部分
３      ベッドを広く使う為の部分
４      車椅子の体を支える部分
５      車椅子の肘掛け部分
６      車椅子の動力部分
７      車椅子後輪
８      車椅子前輪
９      車椅子前輪補助
１０    支柱取り付け部分
１１    フック
１２    支柱
【図１】
2011161190.tif 000003
【図２】
2011161190.tif 000004
【図３】
2011161190.tif 000005
【図４】
2011161190.tif 000006
(57)【要約】      （修正有）【課題】鍋を使って、台所で調理をする際に途中で鍋の蓋の置き所に困った時に、手を火傷したりする心配のない鍋の蓋置き台を提供する。【解決手段】蓋置き部３と支柱部４と安定脚部５より構成される蓋置き台１において、垂直に立つ支柱部４の下端に水平に安定脚部５を設け、支柱部４の上端に水平以上のゆるやかな傾きを持つ蓋置き部３を安定脚部５と同方向に設け、蓋置き部３の先端中央から支柱部４方向へ、支柱部４から蓋６の半径程の手前まで、蓋６のつまみ部が挿入しやすい程度の幅のゆるやかなＶ字形くぼみ部２を設けて、Ｖ字形くぼみ部２の先端は蓋６のつまみ部の首径ほどの丸みを付ける。【選択図】図１
2011161183.tif 000002
【特許請求の範囲】
【請求項１】
蓋置き部と支柱部と安定脚部より構成される蓋置き台において、垂直に立つ支柱部の下端に水平に安定脚部を設け、支柱部の上端に水平以上のゆるやかな傾きを持つ蓋置き部を安定脚部と同方向に設け、蓋置き部の先端中央から支柱部方向へ、支柱部から蓋の半径程の手前まで、蓋のつまみ部が挿入しやすい程度の幅のゆるやかなＶ字形くぼみ部を設けて、Ｖ字形くぼみ部の先端は蓋のつまみ部の首径ほどの丸みを付けたことを特徴とする鍋の蓋置き台。
【発明の詳細な説明】
【技術分野】
【０００１】  本発明は、台所や料理などをする場所で鍋ややかんなどの蓋を置く台に関するものである。
【背景技術】
【０００２】  従来、台所や料理をする場所などで鍋ややかんなどの蓋を取り外して置いておく場所が、調理台や床の上などに借り置きしていた。
【先行技術文献】
【０００３】
【特許文献１】
【発明の概要】
【発明が解決しようとする課題】
【０００４】  台所や料理をしている場所で、鍋などをガス台や電気ヒーターの上に乗せ、火をかけて中の水や食材を温めているとき、沸騰したり、調味料を入れたり、具を追加するとき鍋などの蓋を開けて、その蓋を調理台や床に借り置きする場合、余計なスペースを取ってしまうと共に、蓋のつまみを下にして台や床に置く時に、手に熱くなった蓋の一部が触れて又は蓋のしずくが落ちて火傷する事があった。
本発明は、以上の問題点を解決するためになされたものである。
【課題を解決するための手段】
【０００５】  蓋置き部と支柱部と安定脚部より構成される蓋置き台において、垂直に立つ支柱部の下端に水平に安定脚部を設け、支柱部の上端に水平以上のゆるやかな傾きを持つ蓋置き部を安定脚部と同方向に設け、蓋置き部の先端中央から支柱部方向へ、支柱部から蓋の半径程の手前まで、蓋のつまみ部が挿入しやすい程度の幅のゆるやかなＶ字形くぼみ部を設けて、Ｖ字形くぼみ部の先端は蓋のつまみ部の首径ほどの丸みを付ける。
以上を特徴とする鍋の蓋置き台である。
【発明の効果】
【０００６】  （イ）支柱部の高さによって、調理台や床との間に十分な空間があるため、鍋の蓋のつまみ部を手に持って、Ｖ字形くぼみ部に簡単に挿入するだけなので、手を火傷する心配がない。（ロ）軽量で安定脚部も嵩張らないので調理台や床のスペースを選ばず、どの地点にも簡単に移動できる。（ハ）鍋の種類により、つまみ部の首径が異なってもＶ字形くぼみ部の適当な地点にスムーズに挿入出来る。
【図面の簡単な説明】
【０００７】
【図１】本発明の斜視図
【図２】本発明の他の形状の実施例を表す斜視図
【発明を実施するための形態】
【０００８】  以下、本発明の実施形態を説明する。
蓋置き部（３）と支柱部（４）と安定脚部（５）より構成される蓋置き台（１）において、垂直に立つ支柱部（４）の下端に水平に安定脚部（５）を設け、支柱部（４）の上端に水平以上のゆるやかな傾きを持つ蓋置き部（３）を安定脚部（５）と同方向に設け、蓋置き部（３）の先端中央から支柱部（４）方向へ、支柱部（４）から鍋の蓋（６）の半径程の手前まで、蓋のつまみ部（７）が挿入しやすい程度の幅のＶ字形くぼみ部（２）を設けて、Ｖ字形くぼみ部（２）の先端は蓋のつまみ部（７）の首径ほどの丸みを付ける。
本発明は以上のような構造である。
これを実際に使用する時は、手で鍋の蓋（６）の蓋のつまみ部（７）を持ち、蓋のつまみ部（７）を鍋の蓋（６）の下側にして、Ｖ字形くぼみ部（２）の開口部（９）側から挿入するだけ。
蓋の種類により蓋のつまみ部（７）のつまみの首部（８）の径が異なる場合があっても、Ｖ字形くぼみ部（２）の適当な地点で止まる。支柱部（４）の高さは蓋のつまみ部（７）をつかんだ手が水平移動できるだけの十分なスペースを保持している。安定脚部（５）は鍋の蓋（６）を乗せた場合に蓋置き台（１）全体が転倒しないように全体の重心が安定脚部（５）のほぼ中心に来るように設ける。
また、［図２］の様に固定して、調理台の端に固定する形状のものもある。
【符号の説明】（１）蓋置き台、（２）Ｖ字形くぼみ部、（３）蓋置き部、（４）支柱部、（５）安定脚部、（６）鍋の蓋、（７）蓋のつまみ部、（８）つまみ部の首部、（９）開口部
【図１】
2011161183.tif 000003
【図２】
2011161183.tif 000004
(57)【要約】【課題】マスクを使用中に一時使用しない時、衛生的に保管して紛失する事がないようにストラップの両端にマスクの取り外し可能な部品とストラップの中央に使用中の安全のために分離とめ具を設けて、首にかける事ができる分離とめ具付きマスク用ネックストラップを提供する。【解決手段】ストラップ（１）の両端にマスクの取り外し可能な部品（２）と安全のためにストラップ（１）の中央に分離とめ具（３）を設けた分離とめ具付きマスク用ネックストラップを特徴とする。【選択図】図１
2011161186.tif 000002
【特許請求の範囲】
【請求項１】
ストラップ（１）の両端にマスクの取り外し可能な部品（２）と、ストラップ（１）の中央に使用中の安全のために分離とめ具（３）を設けた分離とめ具付きマスク用ネックストラップ。
【発明の詳細な説明】
【技術分野】
【０００１】  この発明は、ストラップにマスクの取り外し可能な部品と使用中の安全のために分離とめ具を設けて、マスクを使用中に一時使用しない時、首にかけて保管する分離とめ具付きマスク用ネックストラップに関するものである。
【背景技術】
【０００２】  従来、マスクを使用中に一時使用しない時、衛生的に保管する事が困難であったり紛失することがあった。
【発明の開示】
【発明が解決しようとする課題】
【０００３】  これは次のような欠点があった。マスクを使用中に一時使用しない時、マスクを手で持ったり衣類のポケットに入れる等保管する場所に困った。保管しようとして誤って下に落とす事があり不衛生であったり、紛失する事があった。
本発明は、以上のような欠点をなくすためになされたものである。
【課題を解決するための手段】
【０００４】  ストラップ（１）の両端にマスクの取り外し可能な部品（２）を設け、ストラップ（１）の中央に使用中ストラップに無理な力が加わった時の安全のために分離とめ具（３）を設ける。
本発明は、以上の構成よりなる分離とめ具付きマスク用ネックストラップである。
【発明の効果】
【０００５】  マスクを使用中に一時使用しない時、首にかけているので誤って下に落とす事がなく衛生的であり紛失する事がない。使用中にストラップに無理な力が加わった時の安全のために分離とめ具を設けている。マスクを使用する時は、分離とめ具付きマスク用ネックストラップを取り付けた状態で可能である。
【発明を実施するための最良の形態】
【０００６】  以下、本発明を実施するための最良の形態について説明する。ストラップ（１）の両端にマスクの取り外し可能な部品（２）と、ストラップ（１）の中央に使用中の安全のために分離とめ具（３）を設ける。
本発明は、以上のような構造でこれを使用する時は、マスクの取り外し可能な部品にマスクを取り付け、首にかける。マスクを使用する時は、分離とめ具付きマスク用ストラップを取り付けた状態で可能である。
【図面の簡単な説明】
【０００７】
【図１】  本発明の平面図である。
【符号の説明】
【０００８】  １      ストラップ
２      マスクの取り外し可能な部品
３      分離とめ具
４      マスク
【図１】
2011161186.tif 000003
(57)【要約】【課題】従来のオムライス等のライス類に用いるライス型では、ライス型内部の空洞にライス型内部を仕切る物が無く、ライス類一盛りにセパレートされた別種の味付けをしたライス類一盛りを提供するのが困難である。【解決手段】ライス型内部の空洞３に仕切りを設ける。仕切りは，例えば、金属製の仕切り４である。【選択図】図１
2011161181.tif 000002
【特許請求の範囲】
【請求項１】
ライス型内部に仕切りを設けたことを特徴とするライス型。
【発明の詳細な説明】
【技術分野】
【０００１】この発明は、オムライス等のライス類に用いるライス型の形状に関する。
【背景技術】
【０００２】従来のオムライス等のライス類に用いるライス型の形状は、図４に示すように金属製のライス型本体１の上面に金属製の取手２が設けられ、ライス型内部はライス型内部の空洞３の様に空洞になったものである。
インターネットにてライス型と検索すれば従来技術で作られたライス型は販売されているが、先行技術文献にて類似の技術に関する記述は発見出来なかった。
【発明の概要】
【発明が解決しようとする課題】
【０００３】しかしながら、以上の技術によれば、ライス類一盛りにセパレートされた別種の味付けをしたライス類一盛りを盛り付けることは困難である。
そこで、この発明は、ライス類一盛りにセパレートされた別種の味付けをしたライス類一盛りの提供を容易にすることを課題とする。
【課題を解決するための手段】
【０００４】以上の課題を解決するために、この発明では、図４ライス型内部の空洞３に仕切りを設けたことを特徴とするライス型である。
【発明の効果】
【０００５】この発明によれば、図１、図３のライス型内部の空洞３に仕切りを設けたことにより別種の味付けをしたライス類をそれぞれを別々の区切った部分に盛り付けることが出来、ライス類一盛りにセパレートされた別種の味付けをしたライス類一盛りを提供するのが容易になる。
【図面の簡単な説明】
【０００６】
【図１】この発明の一実施形態を示す底辺から見た斜視図である。
【図２】この発明の一実施形態を示す斜視図である。
【図３】この発明の一実施形態を示す横から見た断面図である。
【図４】従来技術を示す底辺から見た斜視図である。
【発明を実施するための形態】
【０００７】この発明の一実施形態を図１、図２、図３に示す。
図２金属製のライス型本体１上面には、金属製の取手２が設けられている。
図１、図３ライス型内にはライス型内部の空洞３があり、このライス型内部の空洞３には金属製の仕切り４が設けられている。
【実施形態の効果】
【０００８】この実施形態によれば、図１、図３の金属製の仕切り４の働きで、ライス類一盛りにセパレートされた別種２種類の味付けをしたライス類一盛りを盛り付け易い。
【他の実施形態】
【０００９】図１、図２、図３の実施形態にある金属製のライス型本体１、金属製の取手２、金属製の仕切り４の材質は、ライス型として使用できる素材であれば木製、ガラス製、セラミックス製、樹脂製、ほうろう製等であってもかまわない。
【００１０】図１、図２、図３の実施形態にある金属製のライス型本体１の形状は、他の実施形態では、ライス型として使用できる形状であれば他の形状であってもかまわない。（例、ドーナツ型、ウサギ型、花形等）
【００１１】図２の実施形態にある金属製の取手２の位置は、他の実施形態では、別の部分に付いてあってもよく、また、取手が無くてもかまわない。
【００１２】図１、図３の実施形態にある金属製の仕切り４は横方向１枚で構成されているが他の実施形態では、横方向や複数枚で構成されていてもかまわない。
【符号の説明】
【００１３】  １  金属製のライス型本体        ３  ライス型内部の空洞
２  金属製の取手                ４  金属製の仕切り
【図１】
2011161181.tif 000003
【図２】
2011161181.tif 000004
【図３】
2011161181.tif 000005
【図４】
2011161181.tif 000006